(57)【要約】  【課題】  ユーザが指定した設定時間に基づいて再生動作を停止する際にユーザに不快感を与えない再生装置を提供する。  【解決手段】  記録メディア１は、複数のメイン情報と、メイン情報毎の再生時間に関する情報とを格納している。制御部４は、入力部６からのデータに基づいてタイマー５の設定時間をユーザが指定した設定時間にする。その後、制御部４は、タイマー５の設定時間に対応するメイン情報が終了するまでの総再生時間を検出し、タイマー５の設定時間を検出した総再生時間に変更する。タイマー５の起動後、タイマー５の残時間が零になると制御部４は再生部２に再生動作を停止させる。【選択図】      図１
2005166172.tif 000002
【特許請求の範囲】
【請求項１】
複数のメイン情報と、前記メイン情報毎の再生時間に関する情報とが格納されている記録メディアに対して前記複数のメイン情報を読み出して再生する再生手段と、
前記記録メディアに対して前記メイン情報毎の再生時間に関する情報を読み取る読み取り手段と、
タイマーと、
設定時間に関する情報を入力する入力手段と、
前記入力手段が入力した設定時間に関する情報に基づいて前記タイマーの設定時間を設定する設定手段と、
前記読み取り手段が読み取った情報に基づいて前記タイマーの設定時間に対応するメイン情報が終了するまでの総再生時間を検出する検出手段と、
前記設定手段によって設定された前記タイマーの設定時間を前記検出手段によって検出された総再生時間に変更する変更手段と、
前記タイマーの残時間がなくなると前記再生手段の再生動作を停止させる停止手段と、
を備えることを特徴とする再生装置。
【請求項２】
複数のメイン情報と、前記メイン情報毎の再生時間に関する情報とが格納されている記録メディアに対して前記複数のメイン情報を読み出して再生する再生手段と、
前記記録メディアに対して前記メイン情報毎の再生時間に関する情報を読み取る読み取り手段と、
タイマーと、
設定時間に関する情報を入力する入力手段と、
前記入力手段が入力した設定時間に関する情報に基づいて前記タイマーの設定時間を設定する設定手段と、
前記読み取り手段が読み取った情報に基づいて前記タイマーの設定時間に対応するメイン情報が終了するまでの総再生時間を検出する第一の検出手段と、
前記読み取り手段が読み取った情報に基づいて前記タイマーの設定時間に対応するメイン情報の直前に再生されるメイン情報が終了するまでの総再生時間を検出する第二の検出手段と、
前記第一の検出手段によって検出された総再生時間と前記第二の検出手段によって検出された総再生時間のうち前記設定手段によって設定された前記タイマーの設定時間との差が小さい方の総再生時間を採用し、前記タイマーの設定時間をその採用した総再生時間に変更する変更手段と、
前記タイマーの残時間がなくなると前記再生手段の再生動作を停止させる停止手段と、
を備えることを特徴とする再生装置。
【請求項３】
複数のメイン情報と、前記メイン情報毎の再生時間に関する情報とが格納されている記録メディアに対して前記複数のメイン情報を読み出して再生する再生手段と、
前記記録メディアに対して前記メイン情報毎の再生時間に関する情報を読み取る読み取り手段と、
タイマーと、
設定時間に関する情報を入力する入力手段と、
前記入力手段が入力した設定時間に関する情報に基づいて前記タイマーの設定時間を設定する設定手段と、
前記読み取り手段が読み取った情報に基づいて前記タイマーの設定時間に対応するメイン情報が終了するまでの総再生時間を検出する第一の検出手段と、
前記読み取り手段が読み取った情報に基づいて前記タイマーの設定時間に対応するメイン情報の直前に再生されるメイン情報が終了するまでの総再生時間を検出する第二の検出手段と、
前記設定手段によって設定された前記タイマーの設定時間と前記第一の検出手段によって検出された総再生時間との差及び前記設定手段によって設定された前記タイマーの設定時間と前記第二の検出手段によって検出された総再生時間との差の少なくとも一つが所定値未満であるか否かを判定する判定手段と、
前記判定手段によって少なくとも一つが所定値未満であると判定された場合に、前記第一の検出手段によって検出された総再生時間と前記第二の検出手段によって検出された総再生時間のうち前記設定手段によって設定された前記タイマーの設定時間との差が小さい方の総再生時間を採用し、前記タイマーの設定時間をその採用した総再生時間に変更する第一の変更手段と、
前記判定手段によっていずれも所定値未満でないと判定された場合に、前記タイマーの設定時間に対応するメイン情報内の区切りを検出し、前記タイマーの設定時間に最も近い区切りを検出し、その検出した区切りまでの総再生時間を検出し、前記タイマーの設定時間をその採用した総再生時間に変更する第二の変更手段と、
前記タイマーの残時間がなくなると前記再生手段の再生動作を停止させる停止手段と、
を備えることを特徴とする再生装置。
【請求項４】
前記第二の変更手段は、前記タイマーの設定時間に対応するメイン情報を前記再生手段が再生することで得られる再生信号に音声信号が含まれている場合に、その音声信号の無音部を前記タイマーの設定時間に対応するメイン情報内の区切りとして検出する請求項３に記載の再生装置。
【請求項５】
前記第二の変更手段は、前記タイマーの設定時間に対応するメイン情報を前記再生手段が再生することで得られる再生信号に音声信号が含まれている場合に、その音声信号の一定レベル以下の部分を前記タイマーの設定時間に対応するメイン情報内の区切りとして検出する請求項３に記載の再生装置。
【請求項６】
前記第二の変更手段は、前記タイマーの設定時間に対応するメイン情報を前記再生手段が再生することで得られる再生信号に映像信号が含まれている場合に、その映像信号の輝度平均が第一基準レベル以下及び／又は前記第一基準レベルより大きい第二基準レベル以上の部分を前記タイマーの設定時間に対応するメイン情報内の区切りとして検出する請求項３に記載の再生装置。
【請求項７】
前記タイマーの設定時間が変更される際に、変更後の設定時間が変更前の設定時間よりも所定値以上大きいかを判定し、変更後の設定時間が変更前の設定時間よりも所定値以上大きければ、タイマー残時間が所定の閾値に達してから零になるまで徐々に再生出力レベルを下げるフェードアウト手段を備える請求項１〜６のいずれかに記載の再生装置。
【発明の詳細な説明】
【技術分野】
【０００１】
本発明は、設定時間になると音響情報や映像情報等の再生動作を停止する機能を有する再生装置に関する。
【背景技術】
【０００２】
従来の再生装置には、ユーザが指定した設定時間の所定時間前から再生している音声信号レベルを徐々に減衰させた後、ユーザが指定した設定時間になった時点で再生動作を停止させ、電源をオフするものがある（例えば、特許文献１参照）。
【特許文献１】特開平６−２０３５４０号公報
【特許文献２】実開平５−４３３３２号公報
【発明の開示】
【発明が解決しようとする課題】
【０００３】
上述した再生装置は、再生している音声信号レベルを徐々に減衰させた後に再生動作を停止するのでユーザに音声の急な途切れを感じさせないようにすることができるものの、ユーザが指定した設定時間になると強制的に再生動作を停止するのでユーザに不快感を与える箇所で再生動作を停止するおそれがあった。
【０００４】
本発明は、上記の問題点に鑑み、ユーザが指定した設定時間に基づいて再生動作を停止する際にユーザに不快感を与えない再生装置を提供することを目的とする。
【課題を解決するための手段】
【０００５】
上記目的を達成するために本発明に係る再生装置においては、複数のメイン情報と前記メイン情報毎の再生時間に関する情報とが格納されている記録メディアに対して前記複数のメイン情報を読み出して再生する再生手段と、前記記録メディアに対して前記メイン情報毎の再生時間に関する情報を読み取る読み取り手段と、タイマーと、設定時間に関する情報を入力する入力手段と、前記入力手段が入力した設定時間に関する情報に基づいて前記タイマーの設定時間を設定する設定手段と、前記読み取り手段が読み取った情報に基づいて前記タイマーの設定時間に対応するメイン情報が終了するまでの総再生時間を検出する検出手段と、前記設定手段によって設定された前記タイマーの設定時間を前記検出手段によって検出された総再生時間に変更する変更手段と、前記タイマーの残時間がなくなると前記再生手段の再生動作を停止させる停止手段と、を備える構成としている。
【０００６】
このような構成によると、ユーザが入力手段を操作することによって指定した設定時間に基づいて再生動作を停止する際に必ずメイン情報の終了箇所で再生動作が停止し、中途半端な箇所で再生動作が停止しなくなるので、ユーザに不快感を与えなくなる。
【０００７】
また、上記目的を達成するために本発明に係る再生装置においては、複数のメイン情報と前記メイン情報毎の再生時間に関する情報とが格納されている記録メディアに対して前記複数のメイン情報を読み出して再生する再生手段と、前記記録メディアに対して前記メイン情報毎の再生時間に関する情報を読み取る読み取り手段と、タイマーと、設定時間に関する情報を入力する入力手段と、前記入力手段が入力した設定時間に関する情報に基づいて前記タイマーの設定時間を設定する設定手段と、前記読み取り手段が読み取った情報に基づいて前記タイマーの設定時間に対応するメイン情報が終了するまでの総再生時間を検出する第一の検出手段と、前記読み取り手段が読み取った情報に基づいて前記タイマーの設定時間に対応するメイン情報の直前に再生されるメイン情報が終了するまでの総再生時間を検出する第二の検出手段と、前記第一の検出手段によって検出された総再生時間と前記第二の検出手段によって検出された総再生時間のうち前記設定手段によって設定された前記タイマーの設定時間との差が小さい方の総再生時間を採用し、前記タイマーの設定時間をその採用した総再生時間に変更する変更手段と、前記タイマーの残時間がなくなると前記再生手段の再生動作を停止させる停止手段と、を備える構成としている。
【０００８】
このような構成によると、ユーザが入力手段を操作することによって指定した設定時間に基づいて再生動作を停止する際に必ずメイン情報の終了箇所で再生動作が停止し、中途半端な箇所で再生動作が停止しなくなるので、ユーザに不快感を与えなくなる。また、タイマーの設定時間に対応するメイン情報が終了した時点又はタイマーの設定時間に対応するメイン情報の直前に再生させるメイン情報が終了した時点のいずれかで再生動作が停止するので、ユーザが入力手段を操作することによって指定した設定時間と実際に再生される時間との差を小さくすることができる。
【０００９】
また、上記目的を達成するために本発明に係る再生装置においては、複数のメイン情報と前記メイン情報毎の再生時間に関する情報とが格納されている記録メディアに対して前記複数のメイン情報を読み出して再生する再生手段と、前記記録メディアに対して前記メイン情報毎の再生時間に関する情報を読み取る読み取り手段と、タイマーと、設定時間に関する情報を入力する入力手段と、前記入力手段が入力した設定時間に関する情報に基づいて前記タイマーの設定時間を設定する設定手段と、前記読み取り手段が読み取った情報に基づいて前記タイマーの設定時間に対応するメイン情報が終了するまでの総再生時間を検出する第一の検出手段と、前記読み取り手段が読み取った情報に基づいて前記タイマーの設定時間に対応するメイン情報の直前に再生されるメイン情報が終了するまでの総再生時間を検出する第二の検出手段と、前記設定手段によって設定された前記タイマーの設定時間と前記第一の検出手段によって検出された総再生時間との差及び前記設定手段によって設定された前記タイマーの設定時間と前記第二の検出手段によって検出された総再生時間との差の少なくとも一つが所定値未満であるか否かを判定する判定手段と、前記判定手段によって少なくとも一つが所定値未満であると判定された場合に、前記第一の検出手段によって検出された総再生時間と前記第二の検出手段によって検出された総再生時間のうち前記設定手段によって設定された前記タイマーの設定時間との差が小さい方の総再生時間を採用し、前記タイマーの設定時間をその採用した総再生時間に変更する第一の変更手段と、前記判定手段によっていずれも所定値未満でないと判定された場合に、前記タイマーの設定時間に対応するメイン情報内の区切りを検出し、前記タイマーの設定時間に最も近い区切りを検出し、その検出した区切りまでの総再生時間を検出し、前記タイマーの設定時間をその採用した総再生時間に変更する第二の変更手段と、前記タイマーの残時間がなくなると前記再生手段の再生動作を停止させる停止手段と、を備える構成としている。
【００１０】
このような構成によると、タイマーの設定時間に対応するメイン情報が終了した時点又はタイマーの設定時間に対応するメイン情報の直前に再生させるメイン情報が終了した時点のいずれかで再生動作を停止させるとユーザが指定した設定時間と実際に再生される時間との差が所定値未満になる場合と所定値以上になる場合とで、異なる再生停止処理がなされる。前者の場合、ユーザが入力手段を操作することによって指定した設定時間に基づいて再生動作を停止する際に必ずメイン情報の終了箇所で再生動作が停止し、中途半端な箇所で再生動作が停止しなくなり、そのうえ、タイマーの設定時間に対応するメイン情報が終了した時点又はタイマーの設定時間に対応するメイン情報の直前に再生させるメイン情報が終了した時点のいずれかで再生動作が停止する。これにより、ユーザに不快感を与えなくなるとともに、ユーザが入力手段を操作することによって指定した設定時間と実際に再生される時間との差を小さくすることができる。後者の場合、ユーザが入力手段を操作することによって指定した設定時間に基づいて再生動作を停止する際に必ずメイン情報の区切り箇所で再生動作が停止し、中途半端な箇所で再生動作が停止しなくなり、そのうえ、タイマーの設定時間に最も近い区切りに達すると再生動作が停止する。これにより、ユーザに不快感を与えなくなるとともに、タイマーの設定時間に対応するメイン情報の再生時間が非常に長くてもユーザが入力手段を操作することによって指定した設定時間と実際に再生される時間との差を小さくすることができる。
【００１１】
また、前記第二の変更手段が、前記タイマーの設定時間に対応するメイン情報を前記再生手段が再生することで得られる再生信号に音声信号が含まれている場合に、その音声信号の無音部を前記タイマーの設定時間に対応するメイン情報内の区切りとして検出してもよく、前記タイマーの設定時間に対応するメイン情報を前記再生手段が再生することで得られる再生信号に音声信号が含まれている場合に、その音声信号の一定レベル以下の部分を前記タイマーの設定時間に対応するメイン情報内の区切りとして検出してもよく、前記タイマーの設定時間に対応するメイン情報を前記再生手段が再生することで得られる再生信号に映像信号が含まれている場合に、その映像信号の輝度平均が第一基準レベル以下及び／又は前記第一基準レベルより大きい第二基準レベル以上の部分を前記タイマーの設定時間に対応するメイン情報内の区切りとして検出してもよい。
【００１２】
また、上記いずれかの構成において、前記タイマーの設定時間が変更される際に、変更後の設定時間が変更前の設定時間よりも所定値以上大きいかを判定し、変更後の設定時間が変更前の設定時間よりも所定値以上大きければ、タイマー残時間が所定の閾値に達してから零になるまで徐々に再生出力レベルを下げるフェードアウト手段を備えてもよい。
【００１３】
このような構成によると、ユーザが入力手段を操作することによって指定した設定時間と実際に再生される時間との差が大きい場合でも、ユーザが入力手段を操作することによって指定した設定時間と通常のボリュームで再生される時間との差を小さくすることができる。
【発明の効果】
【００１４】
本発明によれば、ユーザが指定した設定時間に基づいて再生動作を停止する際にユーザに不快感を与えない再生装置を実現することができる。
【発明を実施するための最良の形態】
【００１５】
本発明の一実施形態について図面を参照して以下に説明する。本発明に係る再生装置の一構成例を図１に示す。図１に示す再生装置は、記録メディア１に格納されている複数のメイン情報を再生する再生装置であって、再生部２と、出力部３と、装置全体を制御する制御部４と、タイマー５と、操作キー等からなる入力部６と、時計部７とによって構成されている。記録メディア１は、再生装置に対して装脱着可能であってもよく、再生装置に内蔵されていてもよい。
【００１６】
続いて図１に示す再生装置がユーザによって指定された時刻に基づいて再生の開始・終了を行う場合の動作について、図２の制御フローチャートを参照して説明する。ユーザー操作により入力部６が再生開始時刻と再生終了時刻を入力し、これらの入力データを制御部４に送出する（ステップＳ１０）。このとき、ユーザー操作により入力部６が記録メディアに格納されている複数のメイン情報の再生順序も入力し、その入力データを制御部４に送出するようにしてもよい。
【００１７】
制御部４は、再生開始時刻と再生終了時刻の差を算出し、その算出した時間をタイマー５の設定時間とする（ステップＳ２０）。このとき、制御部４は再生開始時刻を内部メモリ（図示せず）に記憶する。また、ステップＳ１０において入力部６が記録メディア１に格納されている複数のメイン情報の再生順序も入力した場合、制御部４はその再生順序も内部メモリ（図示せず）に記憶する。
【００１８】
その後、制御部４は、記録メディア１に格納されているメイン情報毎の再生時間に関する情報を再生部２に読み取らせ、その読み取らせた情報に基づいてタイマー５の設定時間に対応するメイン情報が終了するまでの総再生時間を検出する（ステップＳ３０）。例えば、タイマー５の設定時間が３０分であって、１番目に再生するメイン情報の再生時間が８分、２番目に再生するメイン情報の再生時間が１０分、３番目に再生するメイン情報の再生時間が１５分であれば、タイマー５の設定時間に対応するメイン情報は３番目に再生するメイン情報となり、検出される総再生時間は３３分になる。
【００１９】
そして、制御部４は、タイマー５の設定時間をステップＳ３０において検出された総再生時間に変更し（ステップＳ４０）、時計部７の出力に基づいて内部メモリに記憶している再生開始時刻が到来したか否かを監視する（ステップＳ５０）。
【００２０】
再生開始時刻が到来すれば（ステップＳ５０のＹｅｓ）、制御部４は、記録メディア１に格納されているメイン情報の再生を再生部２に開始させるとともに、タイマー５を起動させる（ステップＳ６０）。メイン情報の再生中、制御部４は入力部６が入力するボリューム設定に応じて出力部３のゲインを制御し、出力部６は再生部２が出力する再生信号を増幅しその増幅した信号に応じて音声や映像等を出力する。そして、制御部４はタイマー５の残時間が無くなったか否かを監視する（ステップＳ７０）。
【００２１】
タイマー５の残時間が無くなれば（ステップＳ７０のＹｅｓ）、制御部４は、記録メディア１に格納されているメイン情報の再生を再生部２に停止させる（ステップＳ８０）。
【００２２】
続いて図１に示す再生装置の所謂スリープタイマーモードでの動作について、図３の制御フローチャートを参照して説明する。ユーザー操作により入力部６が再生開始指令を入力し、その入力データを制御部４に送出すると、制御部４は、記録メディア１に格納されているメイン情報の再生を再生部２に開始させる（ステップＳ１１０）。このとき、ユーザー操作により入力部６が記録メディアに格納されている複数のメイン情報の再生順序も入力し、その入力データを制御部４に送出するようにしてもよい。このように入力部６が記録メディアに格納されている複数のメイン情報の再生順序を入力した場合、制御部４はその再生順序を内部メモリ（図示せず）に記憶する。
【００２３】
メイン情報の再生中、制御部４は入力部６が入力するボリューム設定に応じて出力部３のゲインを制御し、出力部６は再生部２が出力する再生信号を増幅しその増幅した信号に応じて音声や映像等を出力する。
【００２４】
ユーザー操作により入力部６がタイマー設定時間を入力し、その入力データを制御部４に送出すると、制御部４は入力部６が入力したタイマー設定時間をタイマー５の設定時間とする（ステップＳ１２０）。
【００２５】
その後、制御部４は、記録メディア１に格納されているメイン情報毎の再生時間に関する情報を再生部２に読み取らせ、その読み取らせた情報に基づいて、タイマー５の設定時間に対応するメイン情報が終了するまでの総再生時間を検出する（ステップＳ１３０）。例えば、タイマー５の設定時間が３０分であって、現在再生しているメイン情報の残り再生時間が７分、その次に再生するメイン情報の再生時間が１０分、更に次に再生するメイン情報の再生時間が１５分であれば、タイマー５の設定時間に対応するメイン情報は更に次に再生するメイン情報となり、検出される総再生時間は３２分になる。
【００２６】
そして、制御部４は、タイマー５の設定時間をステップＳ１３０において検出された総再生時間に変更するとともに、タイマー５を起動させる（ステップＳ１４０）。そして、制御部４はタイマー５の残時間が無くなったか否かを監視する（ステップＳ１５０）。
【００２７】
タイマー５の残時間が無くなれば（ステップＳ１５０のＹｅｓ）、制御部４は、記録メディア１に格納されているメイン情報の再生を再生部２に停止させる（ステップＳ１６０）。
【００２８】
図１の再生装置が上述した図２又は図３の制御フローチャートに従った動作を行うことで、ユーザが指定した設定時間に基づいて再生動作を停止する際に必ずメイン情報の終了箇所で再生動作が停止し、中途半端な箇所で再生動作が停止しなくなるので、ユーザに不快感を与えなくなる。
【００２９】
図１に示す再生装置が、図２に示す制御フローチャート動作の代わりに図４に示す制御フローチャート動作を行ってもよい。なお、図４において図２と同一のステップには同一の符号を付す。
【００３０】
ユーザー操作により入力部６が再生開始時刻と再生終了時刻を入力し、これらの入力データを制御部４に送出する（ステップＳ１０）。このとき、ユーザー操作により入力部６が記録メディアに格納されている複数のメイン情報の再生順序も入力し、その入力データを制御部４に送出するようにしてもよい。
【００３１】
制御部４は、再生開始時刻と再生終了時刻の差を算出し、その算出した時間をタイマー５の設定時間とする（ステップＳ２０）。このとき、制御部４は再生開始時刻を内部メモリ（図示せず）に記憶する。また、ステップＳ１０において入力部６が記録メディア１に格納されている複数のメイン情報の再生順序も入力した場合、制御部４はその再生順序も内部メモリ（図示せず）に記憶する。
【００３２】
その後、制御部４は、記録メディア１に格納されているメイン情報毎の再生時間に関する情報を再生部２に読み取らせ、その読み取らせた情報に基づいて、タイマー５の設定時間に対応するメイン情報が終了するまでの総再生時間を検出する（ステップＳ３０）。例えば、タイマー５の設定時間が３０分であって、１番目に再生するメイン情報の再生時間が８分、２番目に再生するメイン情報の再生時間が１０分、３番目に再生するメイン情報の再生時間が１５分であれば、タイマー５の設定時間に対応するメイン情報は３番目に再生するメイン情報となり、ステップＳ３０において検出される総再生時間は３３分になる。
【００３３】
また、制御部４は、タイマー５の設定時間に対応するメイン情報の直前に再生されるメイン情報が終了するまでの総再生時間も検出する（ステップＳ３２）。例えば、タイマー５の設定時間が３０分であって、１番目に再生するメイン情報の再生時間が８分、２番目に再生するメイン情報の再生時間が１０分、３番目に再生するメイン情報の再生時間が１５分であれば、タイマー５の設定時間に対応するメイン情報は３番目に再生するメイン情報となり、ステップＳ３２において検出される総再生時間は１８分になる。
【００３４】
そして、制御部４は、タイマー５の設定時間とステップＳ３０において検出された総再生時間との差である変更時間を算出し、タイマー５の設定時間とステップＳ３２において検出された総再生時間との差である変更時間を算出し、変更時間が小さくなる方の総再生時間を採用し、タイマー５の設定時間をその採用した総再生時間に変更する（ステップＳ４２）。そして、制御部４は、時計部７の出力に基づいて内部メモリに記憶している再生開始時刻が到来したか否かを監視する（ステップＳ５０）。
【００３５】
再生開始時刻が到来すれば（ステップＳ５０のＹｅｓ）、制御部４は、記録メディア１に格納されているメイン情報の再生を再生部２に開始させるとともに、タイマー５を起動させる（ステップＳ６０）。メイン情報の再生中、制御部４は入力部６が入力するボリューム設定に応じて出力部３のゲインを制御し、出力部６は再生部２が出力する再生信号を増幅しその増幅した信号に応じて音声や映像等を出力する。そして、制御部４はタイマー５の残時間が無くなったか否かを監視する（ステップＳ７０）。
【００３６】
タイマー５の残時間が無くなれば（ステップＳ７０のＹｅｓ）、制御部４は、記録メディア１に格納されているメイン情報の再生を再生部２に停止させる（ステップＳ８０）。
【００３７】
また、図１に示す再生装置が、図３に示す制御フローチャート動作の代わりに図５に示す制御フローチャート動作を行ってもよい。なお、図５において図３と同一のステップには同一の符号を付す。
【００３８】
ユーザー操作により入力部６が再生開始指令を入力し、その入力データを制御部４に送出すると、制御部４は、記録メディア１に格納されているメイン情報の再生を再生部２に開始させる（ステップＳ１１０）。このとき、ユーザー操作により入力部６が記録メディア１に格納されている複数のメイン情報の再生順序も入力し、その入力データを制御部４に送出するようにしてもよい。このように入力部６が記録メディアに格納されている複数のメイン情報の再生順序を入力した場合、制御部４はその再生順序を内部メモリ（図示せず）に記憶する。
【００３９】
メイン情報の再生中、制御部４は入力部６が入力するボリューム設定に応じて出力部３のゲインを制御し、出力部６は再生部２が出力する再生信号を増幅しその増幅した信号に応じて音声や映像等を出力する。
【００４０】
ユーザー操作により入力部６がタイマー設定時間を入力し、その入力データを制御部４に送出すると、制御部４は入力部６が入力したタイマー設定時間をタイマー５の設定時間とする（ステップＳ１２０）。
【００４１】
その後、制御部４は、記録メディア１に格納されているメイン情報毎の再生時間に関する情報を再生部２に読み取らせ、その読み取らせた情報に基づいて、タイマー５の設定時間に対応するメイン情報が終了するまでの総再生時間を検出する（ステップＳ１３０）。例えば、タイマー５の設定時間が３０分であって、現在再生しているメイン情報の残り再生時間が７分、その次に再生するメイン情報の再生時間が１０分、更に次に再生するメイン情報の再生時間が１５分であれば、タイマー５の設定時間に対応するメイン情報は更に次に再生するメイン情報となり、検出される総再生時間は３２分になる。
【００４２】
また、制御部４は、タイマー５の設定時間に対応するメイン情報の直前に再生されるメイン情報が終了するまでの総再生時間も検出する（ステップＳ１３２）。例えば、タイマー５の設定時間が３０分であって、現在再生しているメイン情報の残り再生時間が７分、その次に再生するメイン情報の再生時間が１０分、更に次に再生するメイン情報の再生時間が１５分であれば、タイマー５の設定時間に対応するメイン情報は更に次に再生するメイン情報となり、検出される総再生時間は１７分になる。
【００４３】
そして、制御部４は、タイマー５の設定時間とステップＳ１３０において検出された総再生時間との差である変更時間を算出し、タイマー５の設定時間とステップＳ１３２において検出された総再生時間との差である変更時間を算出し、変更時間が小さくなる方の総再生時間を採用し、タイマー５の設定時間をその採用した総再生時間に変更する（ステップＳ１４２）。その後、制御部４はタイマー５の残時間が無くなったか否かを監視する（ステップＳ１５０）。
【００４４】
タイマー５の残時間が無くなれば（ステップＳ１５０のＹｅｓ）、制御部４は、記録メディア１に格納されているメイン情報の再生を再生部２に停止させる（ステップＳ１６０）。
【００４５】
図１の再生装置が上述した図４又は図５の制御フローチャートに従った動作を行うことで、ユーザが指定した設定時間に基づいて再生動作を停止する際に必ずメイン情報の終了箇所で再生動作が停止し、中途半端な箇所で再生動作が停止しなくなるので、ユーザに不快感を与えなくなる。また、図１の再生装置が上述した図４又は図５の制御フローチャートに従った動作を行うことで、タイマーの設定時間に対応するメイン情報が終了した時点又はタイマーの設定時間に対応するメイン情報の直前に再生させるメイン情報が終了した時点のいずれかで再生動作が停止するので、ユーザが指定した設定時間と実際に再生される時間との差を小さくすることができる。
【００４６】
また、図１に示す再生装置が、図４に示す制御フローチャート動作の代わりに図６に示す制御フローチャート動作を行ってもよい。なお、図６において図４と同一のステップには同一の符号を付す。
【００４７】
ユーザー操作により入力部６が再生開始時刻と再生終了時刻を入力し、これらの入力データを制御部４に送出する（ステップＳ１０）。このとき、ユーザー操作により入力部６が記録メディアに格納されている複数のメイン情報の再生順序も入力し、その入力データを制御部４に送出するようにしてもよい。
【００４８】
制御部４は、再生開始時刻と再生終了時刻の差を算出し、その算出した時間をタイマー５の設定時間とする（ステップＳ２０）。このとき、制御部４は再生開始時刻を内部メモリ（図示せず）に記憶する。また、ステップＳ１０において入力部６が記録メディアに格納されている複数のメイン情報の再生順序を入力した場合、制御部４はその再生順序を内部メモリ（図示せず）に記憶する。
【００４９】
その後、制御部４は、記録メディア１に格納されているメイン情報毎の再生時間に関する情報を再生部２に読み取らせ、その読み取らせた情報に基づいて、タイマー５の設定時間に対応するメイン情報が終了するまでの総再生時間を検出する（ステップＳ３０）。例えば、タイマー５の設定時間が３０分であって、１番目に再生するメイン情報の再生時間が８分、２番目に再生するメイン情報の再生時間が１０分、３番目に再生するメイン情報の再生時間が１５分であれば、タイマー５の設定時間に対応するメイン情報は３番目に再生するメイン情報となり、ステップＳ３０において検出される総再生時間は３３分になる。
【００５０】
また、制御部４は、タイマー５の設定時間に対応するメイン情報の直前に再生されるメイン情報が終了するまでの総再生時間も検出する（ステップＳ３２）。例えば、タイマー５の設定時間が３０分であって、１番目に再生するメイン情報の再生時間が８分、２番目に再生するメイン情報の再生時間が１０分、３番目に再生するメイン情報の再生時間が１５分であれば、タイマー５の設定時間に対応するメイン情報は３番目に再生するメイン情報となり、ステップＳ３２において検出される総再生時間は１８分になる。
【００５１】
そして、制御部４は、タイマー５の設定時間とステップＳ３０において検出された総再生時間との差である変更時間を算出し、タイマー５の設定時間とステップＳ３２において検出された総再生時間との差である変更時間を算出し、この二つの変更時間の少なくとも一つが所定値未満で有るか否かを判定する（ステップＳ３４）。
【００５２】
変更時間の少なくとも一つが所定値未満で有れば（ステップＳ３４のＹｅｓ）、制御部４は、変更時間が小さくなる方の総再生時間を採用し、タイマー５の設定時間をその採用した総再生時間に変更し（ステップＳ４４）、後述するステップＳ５０に移行する。
【００５３】
一方、変更時間のいずれもが所定値未満でなければ（ステップＳ３４のＮｏ）、制御部４は、タイマー５の設定時間に対応するメイン情報内の区切りを検出する（ステップＳ３６）。区切りの検出方法としては、例えば、再生部２にタイマー５の設定時間に対応するメイン情報を再生（好ましくは高速再生）させ、再生信号に音声信号が含まれている場合は、その音声信号の無音部分或いは一定レベル以下の部分を検出し、その検出した部分を区切りとし、再生信号に映像信号が含まれている場合は、その映像信号の輝度平均が第一基準レベル以下（例えば全面黒の画像が該当する）及び／又は第二基準レベル（＞第一基準レベル）以上（例えば全面白の画像が該当する）の部分を検出し、その検出した部分を区切りとする方法が挙げられる。なお、ステップＳ３６においては、制御部４が出力部３のゲインを落として出力部３から音声や映像等が出力されないようにしている。
【００５４】
続くステップＳ３８において、制御部４は、タイマーの設定時間に最も近い区切りを検出し、その区切りまでの総再生時間を検出する。その後、制御部４は、タイマー５の設定時間をステップＳ３８で検出した総再生時間に変更し（ステップＳ４６）、後述するステップＳ５０に移行する。
【００５５】
ステップＳ５０において、制御部４は、時計部７の出力に基づいて内部メモリに記憶している再生開始時刻が到来したか否かを監視する（ステップＳ５０）。
【００５６】
再生開始時刻が到来すれば（ステップＳ５０のＹｅｓ）、制御部４は、記録メディア１に格納されているメイン情報の再生を再生部２に開始させるとともに、タイマー５を起動させる（ステップＳ６０）。メイン情報の再生中、制御部４は入力部６が入力するボリューム設定に応じて出力部３のゲインを制御し、出力部６は再生部２が出力する再生信号を増幅しその増幅した信号に応じて音声や映像等を出力する。そして、制御部４はタイマー５の残時間が無くなったか否かを監視する（ステップＳ７０）。
【００５７】
タイマー５の残時間が無くなれば（ステップＳ７０のＹｅｓ）、制御部４は、記録メディア１に格納されているメイン情報の再生を再生部２に停止させる（ステップＳ８０）。
【００５８】
図１の再生装置が上述した図６の制御フローチャートに従った動作を行うことで、タイマーの設定時間に対応するメイン情報が終了した時点又はタイマーの設定時間に対応するメイン情報の直前に再生させるメイン情報が終了した時点のいずれかで再生動作を停止させるとユーザが指定した設定時間と実際に再生される時間との差が所定値未満になる場合と所定値以上になる場合とで、異なる再生停止処理がなされる。
【００５９】
前者の場合、ユーザが指定した設定時間に基づいて再生動作を停止する際に必ずメイン情報の終了箇所で再生動作が停止し、中途半端な箇所で再生動作が停止しなくなり、そのうえ、タイマーの設定時間に対応するメイン情報が終了した時点又はタイマーの設定時間に対応するメイン情報の直前に再生させるメイン情報が終了した時点のいずれかで再生動作が停止する。これにより、ユーザに不快感を与えなくなるとともに、ユーザが指定した設定時間と実際に再生される時間との差を小さくすることができる。
【００６０】
後者の場合、ユーザが指定した設定時間に基づいて再生動作を停止する際に必ずメイン情報の区切り箇所で再生動作が停止し、中途半端な箇所で再生動作が停止しなくなり、そのうえ、タイマーの設定時間に最も近い区切りに達すると再生動作が停止する。これにより、ユーザに不快感を与えなくなるとともに、タイマーの設定時間に対応するメイン情報の再生時間が非常に長くてもユーザが指定した設定時間と実際に再生される時間との差を小さくすることができる。
【００６１】
なお、図２〜図６の制御フローチャートにおいて、制御部４が、タイマー５の設定時間を変更する際に、変更後の設定時間が変更前の設定時間よりも所定値以上大きいかを判定し、変更後の設定時間が変更前の設定時間よりも所定値以上大きければ、タイマー残時間が所定の閾値に達してから零になるまで徐々に出力部３のゲインを小さくしてフェードアウトさせるようにしてもよい。これにより、ユーザが指定した設定時間と実際に再生される時間との差が大きい場合でも、ユーザが指定した設定時間と通常のボリュームで再生される時間との差を小さくすることができる。
【図面の簡単な説明】
【００６２】
【図１】は、本発明に係る再生装置の一構成例を示す図である。
【図２】は、図１に示す再生装置がユーザによって指定された時刻に基づいて再生の開始・終了を行う場合の制御フローチャートである。
【図３】は、図１に示す再生装置の所謂スリープタイマーモードでの制御フローチャートである。
【図４】は、図１に示す再生装置がユーザによって指定された時刻に基づいて再生の開始・終了を行う場合の他の制御フローチャートである。
【図５】は、図１に示す再生装置の所謂スリープタイマーモードでの他の制御フローチャートである。
【図６】は、図１に示す再生装置がユーザによって指定された時刻に基づいて再生の開始・終了を行う場合の更に他の制御フローチャートである。
【符号の説明】
【００６３】
１  記録メディア
２  再生部
３  出力部
４  制御部
５  タイマー
６  入力部
７  時計部
【図１】
2005166172.tif 000003
【図２】
2005166172.tif 000004
【図３】
2005166172.tif 000005
【図４】
2005166172.tif 000006
【図５】
2005166172.tif 000007
【図６】
2005166172.tif 000008